【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法が、
逆ダイナミックレンジ調整プロセスを実行するためのパラメータをどのように決定すべきかを指定する情報を含んでいる１つまたは複数のシンタックス要素を受信することと、ここにおいて、前記情報が、レンジパラメータを決定するために使用される小数ビット（fractional bits）の第１の数、スケールパラメータを決定するために使用される小数ビットの第２の数、またはオフセットパラメータを決定するために使用される小数ビットの第３の数のうちの１つまたは複数を示す、
復号ビデオデータを受信することと、
受信された前記情報に従って、固定小数点算出を使用して、前記復号ビデオデータに対して前記逆ダイナミックレンジ調整プロセスを実行することと
を備える、方法。
【請求項２】
前記１つまたは複数のシンタックス要素を受信することが、１つまたは複数の補足エンハンスメント情報（ＳＥＩ）メッセージ中で前記１つまたは複数のシンタックス要素を受信することを備え、ここにおいて、前記パラメータが、前記レンジパラメータ、前記スケールパラメータ、または前記オフセットパラメータのうちの１つまたは複数を備える、請求項１に記載の方法。
【請求項３】
小数ビットの前記第１の数と、小数部ビット（fractions bits）の前記第２の数と、小数ビットの前記第３の数とを使用して前記パラメータを決定すること
をさらに備える、請求項１に記載の方法。
【請求項４】
前記パラメータを決定することは、
小数ビットの前記第１の数、小数ビットの前記第２の数、または小数ビットの前記第３の数のうちの少なくとも１つが互いに異なる場合、前記パラメータを決定するために使用される任意の中間計算プロセス中に任意の小数ビットを累算することによって、前記パラメータを決定することと、
所定の小数正確さに基づいて、前記パラメータを決定するために最終結果をクリッピングすることと
をさらに備える、および／または、前記パラメータを決定することが、
前記パラメータを決定するために使用されるすべての中間計算プロセス中に所望の小数正確さを越える任意の小数ビットをトランケートすることによって前記パラメータを決定することをさらに備える、請求項３に記載の方法。
【請求項５】
前記情報が、前記復号ビデオデータの１つまたは複数の色コンポーネントのための最小値と最大値とを含み、前記方法が、
前記受信された最小値と前記受信された最大値とに基づいて前記パラメータを決定すること
をさらに備える、請求項１に記載の方法。
【請求項６】
前記情報が、前記復号ビデオデータの１つまたは複数の色コンポーネントのためのサンプル値の所定のレンジに対するインデックスを含み、前記方法が、
前記受信されたインデックスに基づいて、前記復号ビデオデータの前記１つまたは複数の色コンポーネントのための最小値と最大値とを決定することと、
前記決定された最小値と前記決定された最大値とに基づいて前記パラメータを決定することと
をさらに備える、および／または、
前記パラメータが符号付きであるのか符号なしであるのかを示すシンタックス要素を受信することと、
前記ＳＥＩメッセージ中の前記情報に対してパースプロセスを実行することと、
ここにおいて、前記パースプロセスが、前記シンタックス要素の値にかかわらず同じである、をさらに備える、および／または、
前記復号ビデオデータに対して前記逆ダイナミックレンジ調整プロセスを実行した後に前記復号ビデオデータを表示すること
をさらに備える、請求項１に記載の方法。
【請求項７】
ビデオデータを処理するように構成された装置であって、前記装置が、
逆ダイナミックレンジ調整プロセスを実行するためのパラメータをどのように決定すべきかを指定する情報を含んでいる１つまたは複数のシンタックス要素を受信するための手段と、ここにおいて、前記情報が、レンジパラメータを決定するために使用される小数ビットの第１の数、スケールパラメータを決定するために使用される小数ビットの第２の数、またはオフセットパラメータを決定するために使用される小数ビットの第３の数のうちの１つまたは複数を示す、
復号ビデオデータを受信するための手段と、
受信された前記情報に従って、固定小数点算出を使用して、前記復号ビデオデータに対して前記逆ダイナミックレンジ調整プロセスを実行するための手段と
を備える、装置。
【請求項８】
前記１つまたは複数のシンタックス要素を受信するための前記手段が、１つまたは複数の補足エンハンスメント情報（ＳＥＩ）メッセージ中で前記１つまたは複数のシンタックス要素を受信するための手段を備え、ここにおいて、前記パラメータが、前記レンジパラメータ、前記スケールパラメータ、または前記オフセットパラメータのうちの１つまたは複数を備える、および／または、
小数ビットの前記第１の数と、小数部ビットの前記第２の数と、小数ビットの前記第３の数とを使用して前記パラメータを決定するための手段
をさらに備える、および／または、前記パラメータを決定するための前記手段は、
小数ビットの前記第１の数、小数ビットの前記第２の数、または小数ビットの前記第３の数のうちの少なくとも１つが互いに異なる場合、前記パラメータを決定するために使用される任意の中間計算プロセス中に任意の小数ビットを累算することによって、前記パラメータを決定するための手段と、
所定の小数正確さに基づいて、前記パラメータを決定するための最終結果をクリッピングするための手段と
をさらに備える、および／または、前記パラメータを決定するための前記手段が、
前記パラメータを決定するために使用されるすべての中間計算プロセス中に所望の小数正確さを越える任意の小数ビットをトランケートすることによって前記パラメータを決定するための手段
をさらに備える、請求項７に記載の装置。
【請求項９】
前記情報が、前記復号ビデオデータの１つまたは複数の色コンポーネントのための最小値と最大値とを含み、前記装置が、
前記受信された最小値と前記受信された最大値とに基づいて前記パラメータを決定するための手段
をさらに備える、および／または、前記情報が、前記復号ビデオデータの１つまたは複数の色コンポーネントまたはサンプル値の所定のレンジに対するインデックスを含み、前記装置が、
前記受信されたインデックスに基づいて、前記復号ビデオデータの前記１つまたは複数の色コンポーネントのための最小値と最大値とを決定するための手段と、
前記決定された最小値と前記決定された最大値とに基づいて前記パラメータを決定するための手段と
をさらに備える、および／または、
前記パラメータが符号付きであるのか符号なしであるのかを示すシンタックス要素を受信するための手段と、
前記ＳＥＩメッセージ中の前記情報に対してパースプロセスを実行するための手段と、ここにおいて、前記パースプロセスが、前記シンタックス要素の値にかかわらず同じである、
をさらに備える、および／または、
前記復号ビデオデータに対して前記逆ダイナミックレンジ調整プロセスを実行した後に前記復号ビデオデータを表示するための手段
をさらに備える、請求項７に記載の装置。
【請求項１０】
ビデオデータを処理する方法であって、前記方法が、
固定小数点算出を使用してビデオデータに対してダイナミックレンジ調整プロセスを実行することと、
固定小数点算出を使用して、前記ダイナミックレンジ調整プロセスに対して、逆ダイナミックレンジ調整プロセスを実行するためのパラメータをどのように決定すべきかを指定する情報を含んでいる１つまたは複数のシンタックス要素を発生することと、ここにおいて、前記情報が、レンジパラメータを決定するために使用される小数ビットの第１の数、スケールパラメータを決定するために使用される小数ビットの第２の数、またはオフセットパラメータを決定するために使用される小数ビットの第３の数のうちの１つまたは複数を示す、
を備える、方法。
【請求項１１】
前記１つまたは複数のシンタックス要素を発生することが、１つまたは複数の補足エンハンスメント情報（ＳＥＩ）メッセージ中で前記１つまたは複数のシンタックス要素を発生することを備え、ここにおいて、前記パラメータが、前記レンジパラメータ、前記スケールパラメータ、または前記オフセットパラメータのうちの１つまたは複数を備える、および／または、前記情報が、前記ビデオデータの１つまたは複数の色コンポーネントのための最小値と最大値とを含む、および／または、
前記情報が、前記復号ビデオデータのサンプル値の所定のレンジに対するインデックスを含む、および／または、
カメラを用いて前記ビデオデータをキャプチャすること
をさらに備える、請求項１０に記載の方法。
【請求項１２】
ビデオデータを処理するように構成された装置であって、前記装置が、
ビデオデータを記憶するように構成されたメモリと、
１つまたは複数のプロセッサと
を備え、前記１つまたは複数のプロセッサが、
固定小数点算出を使用して前記ビデオデータに対してダイナミックレンジ調整プロセスを実行することと、
固定小数点算出を使用して、前記ダイナミックレンジ調整プロセスに対して、逆ダイナミックレンジ調整プロセスを実行するためのパラメータをどのように決定すべきかを指定する情報を含んでいる１つまたは複数のシンタックス要素を発生することと、ここにおいて、前記情報が、レンジパラメータを決定するために使用される小数ビットの第１の数、スケールパラメータを決定するために使用される小数ビットの第２の数、またはオフセットパラメータを決定するために使用される小数ビットの第３の数のうちの１つまたは複数を示す、
を行うように構成された、装置。
【請求項１３】
前記１つまたは複数のプロセッサが、１つまたは複数の補足エンハンスメント情報（ＳＥＩ）メッセージ中で前記１つまたは複数のシンタックス要素を発生することを行うようにさらに構成され、ここにおいて、前記パラメータが、前記レンジパラメータ、前記スケールパラメータ、または前記オフセットパラメータのうちの１つまたは複数を備える、および／または、前記情報が、前記ビデオデータの１つまたは複数の色コンポーネントのための最小値と最大値とを含む、および／または、前記情報が、前記復号ビデオデータのサンプル値の所定のレンジに対するインデックスを含む、および／または、
前記ビデオデータをキャプチャするように構成されたカメラ
をさらに備える、および／または、前記装置が、カメラ、コンピュータ、モバイルデバイス、ブロードキャスト受信機デバイス、またはセットトップボックスのうちの１つまたは複数を備える、請求項１２に記載の装置。
【請求項１４】
ビデオデータを処理するように構成された装置であって、前記装置が、
固定小数点算出を使用してビデオデータに対してダイナミックレンジ調整プロセスを実行するための手段と、
固定小数点算出を使用して、前記ダイナミックレンジ調整プロセスに対して、逆ダイナミックレンジ調整プロセスを実行するためのパラメータをどのように決定すべきかを指定する情報を含んでいる１つまたは複数のシンタックス要素を発生するための手段と、ここにおいて、前記情報が、レンジパラメータを決定するために使用される小数ビットの第１の数、スケールパラメータを決定するために使用される小数ビットの第２の数、またはオフセットパラメータを決定するために使用される小数ビットの第３の数のうちの１つまたは複数を示す、
を備える、装置。
【請求項１５】
実行されたとき、ビデオデータを処理するように構成されたデバイスの１つまたは複数のプロセッサに、請求項１〜請求項１１のうちのいずれか一項の方法を実行させる命令を記憶するコンピュータ可読記憶媒体。